(57)【要約】【課題】使用者が誤って落下させた場合であっても、筐体が破損する虞のない遠隔操作装置を提供する。【解決手段】遠隔操作信号を送信する送信部４１が配された回路基板４０を筐体１に収容してなる遠隔操作装置において、筐体１を弾性部材で形成し、筐体１に収容された液晶表示パネル４２と、回路基板４０の周縁部分を挟持する枠体３及び鉤部３０と、筐体１の内面に突設されており、筐体１及び回路基板４０が離隔するように枠体３を支持する支持柱２，２とを備える。【選択図】図１
2007195067.tif 000002
【特許請求の範囲】
【請求項１】
遠隔操作信号を送信する送信部が配された回路基板を筐体に収容してなる遠隔操作装置において、
前記筐体は弾性部材で形成された部分を外側に有し、
前記回路基板の周縁部分を挟持する挟持部と、
前記筐体の内面に突設されており、前記筐体及び前記回路基板が離隔するように前記挟持部を支持する支持部と
を備えることを特徴とする遠隔操作装置。
【請求項２】
前記筐体は、
弾性部材からなる中空の緩衝凸部を表面に備える
ことを特徴とする請求項１に記載の遠隔操作装置。
【請求項３】
遠隔操作に関するソフトキーを表示する表示パネルと、
該表示パネルに積層されており、前記表示パネルが表示したソフトキーの操作を検出するタッチパネルと
を備え、
前記筐体は、
前記表示パネル及び前記タッチパネルを収容していて、前記表示パネルからの光を透過させる透光表示窓と、
弾性部材からなり、前記透光表示窓の周縁を囲繞している中空の緩衝凸部と
を備え、
前記送信部は、
前記タッチパネルの検出結果に応じて遠隔操作信号を送信するようにしてある
ことを特徴とする請求項１に記載の遠隔操作装置。
【請求項４】
前記筐体は線状の薄肉部分を備える
ことを特徴とする請求項１乃至請求項３のいずれか一つに記載の遠隔操作装置。
【発明の詳細な説明】
【技術分野】
【０００１】
本発明は、遠隔操作装置に関し、特に弾性部材で形成された部分を外側に有する筐体に、遠隔操作信号を送信する送信部が配された回路基板を収容してなる遠隔操作装置に関する。
【背景技術】
【０００２】
遠隔操作装置は、回路基板をプラスチックで形成された筐体に収容してなり、回路基板には、ハードディスクレコーダ、液晶ディスプレイ等の外部機器を遠隔操作するための遠隔操作信号を送信する送信部、該送信部による送信を制御する制御回路等が配されている。
【０００３】
このように構成された遠隔操作装置においては、使用者が誤って遠隔操作装置を落とした場合、落下の衝撃で送信部、制御回路等の電子部品が破損する虞があった。
【０００４】
上述の問題を解決するために、回路基板の周縁を囲繞する弾性部材を備えることによって、落下の衝撃を緩和させ、電子部品の破損を防止するように構成した電子機器が提供されている（例えば、特許文献１）。
【０００５】
一方、液晶表示パネルの周縁を囲繞する弾性部材、及び該弾性部材を筐体に固定する金属フレームを備えた携帯情報端末装置が提供されている（例えば、特許文献２）。
【特許文献１】特開平１１−２９８１５７号公報
【特許文献２】特開２００１−１７５６０８号公報
【発明の開示】
【発明が解決しようとする課題】
【０００６】
しかしながら、従来の遠隔操作装置においては、落下の衝撃による電子部品の破損を防ぐことができるものの、筐体がプラスチックで形成されているため、落下の衝撃で筐体が破損、例えばひび割れる虞があった。
また、筐体から操作ボタンが突出した遠隔操作装置においては、操作ボタンが破損する虞があった。
【０００７】
本発明は、斯かる事情に鑑みてなされたものであり、筐体の外側部分を弾性部材で形成し、また回路基板の周縁を挟持する挟持部と、筐体及び回路基板が離隔するように挟持部を支持する支持部とを備えることにより、落下の衝撃で筐体が破損することを防ぎ、また撓んだ筐体が回路基板に衝突して回路基板に配された送信部が破損することを防ぐことができる遠隔操作装置を提供することを目的とする。
【０００８】
本発明の他の目的は、弾性部材からなる中空の緩衝凸部を筐体の表面に備えることにより、落下の衝撃で筐体が破損することを、緩衝凸部を備えない場合に比べて、より効果的に防ぐことができる遠隔操作装置を提供することにある。
【０００９】
本発明の他の目的は、遠隔操作に関するソフトキーを表示する表示パネル、及び該表示パネルが表示したソフトキーの操作を検出するタッチパネルを筐体に収容し、表示パネルからの光を透過させる透光表示窓と、弾性部材からなり、該透光表示窓を囲繞した中空の緩衝凸部とを備えることにより、落下の衝撃で、操作ボタン及び透光表示窓等が破損することを防ぐことができる遠隔操作装置を提供することにある。
【００１０】
本発明の他の目的は、線状の薄肉部分を筐体に備えることにより、薄肉部分を備えない筐体に比べて、筐体は撓み易く、より効果的に衝撃を吸収して、筐体及び回路基板に配された送信部が破損することを防ぐことができる遠隔操作装置を提供することにある。
【課題を解決するための手段】
【００１１】
本発明に係る遠隔操作装置は、遠隔操作信号を送信する送信部が配された回路基板を筐体に収容してなる遠隔操作装置において、前記筐体は弾性部材で形成された部分を外側に有し、前記回路基板の周縁部分を挟持する挟持部と、前記筐体の内面に突設されており、前記筐体及び前記回路基板が離隔するように前記挟持部を支持する支持部とを備えることを特徴とする。
【００１２】
本発明にあっては、筐体が弾性部材で形成された部分を外側に有しているため、遠隔操作装置が落下した場合であっても、筐体は落下の衝撃で破損する虞はない。
また、送信部が配された回路基板の周縁部分は挟持部に挟持されていて、挟持部は、筐体及び回路基板が離隔するように支持部で支持されている。従って、落下の衝撃で撓んだ筐体が回路基板及び送信部に衝突する虞はない。
【００１３】
本発明に係る遠隔操作装置は、前記筐体が、弾性部材からなる中空の緩衝凸部を表面に備えることを特徴とする。
【００１４】
本発明にあっては、筐体の表面に備えられた弾性部材からなる緩衝凸部が落下の衝撃を吸収するため、筐体及び回路基板に配された送信部に加わる衝撃は緩和される。
【００１５】
本発明に係る遠隔操作装置は、遠隔操作に関するソフトキーを表示する表示パネルと、該表示パネルに積層されており、前記表示パネルが表示したソフトキーの操作を検出するタッチパネルとを備え、前記筐体は、前記表示パネル及び前記タッチパネルを収容していて、前記表示パネルからの光を透過させる透光表示窓と、弾性部材からなり、前記透光表示窓の周縁を囲繞している中空の緩衝凸部とを備え、前記送信部は、前記タッチパネルの検出結果に応じて遠隔操作信号を送信するようにしてあることを特徴とする。
【００１６】
本発明にあっては、表示パネル及びタッチパネルが、筐体に収容されており、表示パネルからの光を透過させる透光表示窓の周縁は緩衝凸部によって囲繞されている。従って、落下の衝撃が表示パネル及びタッチパネルに直接加わることはない。また、緩衝凸部は、筐体、透光表示窓及び回路基板に配された送信部に加わる衝撃を緩和し、落下の衝撃から透光表示窓及び回路基板を保護する。
更に、筐体は、透光表示窓を備えているため、使用者は、表示パネルに表示されたソフトキーを筐体外部から視認することができる。そして、ソフトキーの操作をタッチパネルが検出した場合、送信部は、タッチパネルの検出結果に応じた遠隔操作信号を送信することができる。
【００１７】
本発明に係る遠隔操作装置は、前記筐体が線状の薄肉部分を備えることを特徴とする。
【００１８】
本発明にあっては、筐体が線状の薄肉部分を備えているため、落下の衝撃によって、筐体の薄肉部分が撓む。従って、線状の薄肉部分を備えない場合に比べて、筐体の破損する虞が低い。また、筐体はより効果的に落下の衝撃を緩和する。
【発明の効果】
【００１９】
本発明によれば、落下の衝撃で筐体が破損することを防ぎ、また撓んだ筐体が回路基板に衝突して回路基板に配された送信部が破損することを防ぐことができる。
【００２０】
本発明によれば、落下の衝撃で筐体が破損することを、緩衝凸部を備えない場合に比べて、より効果的に防ぐことができる。
【００２１】
本発明によれば、落下の衝撃で表示パネル、回路基板、送信部及び透光表示窓が破損することを防ぐことができる。
また、表示パネル及びタッチパネルは筐体内に収容されているため、防水、防滴性に優れ、風呂場、炊事場等の水滴がかかり易い場所での使用が可能になる。
【００２２】
本発明によれば、薄肉部分を備えない筐体に比べて、筐体は、落下の衝撃で撓み易く、より効果的に衝撃を吸収して、筐体及び回路基板に配された送信部の破損を防ぐことができる。
【発明を実施するための最良の形態】
【００２３】
以下、本発明をその実施の形態を示す図面に基づいて詳述する。
図１は、本発明の実施の形態に係る遠隔操作装置の略示側断面図、図２は、遠隔操作装置の略示側面図、図３は、操作面側から見た遠隔操作装置の略示平面図、図４は、図１のIV−IV線断面図である。
【００２４】
図中１は、バータイプの遠隔操作装置を構成する筐体であり、ゴムのような弾性部材で構成されている。筐体１は、稜線を湾曲させた略直方体形状であり、操作面側の上半体１０及び底側の下半体１１を備えている。
【００２５】
下半体１１は、略矩形の下面部１１ａを有しており、下面部１１ａの四隅には、周縁が略矩形の枠体３を支持する支持柱２，２が突設されている。支持柱２，２に支持された枠体３の適宜箇所には、上半体１０側へ突出した鉤部３０が形成されている。鉤部３０には、枠体３に比べて小寸法の回路基板４０の周縁部分が係止し、回路基板４０は、枠体３及び鉤部３０にて挟持されている。
【００２６】
回路基板４０には、外部装置、例えば液晶ディスプレイを遠隔操作するための操作信号を送信する送信部４１、液晶表示パネル４２、及び送信部４１の送信を制御する制御回路４３が、遠隔操作装置の前方から後方へ順に配されている。
【００２７】
液晶表示パネル４２は、外部装置を遠隔操作するためのソフトキーＡ，Ｂを所定位置に表示する。例えば、図３に示すように、「見る」、「録る」、「ダビング」のソフトキーＡ、十字のソフトキーＢ、又は図示しない「再生」、「停止」などのソフトキーを表示する。液晶表示パネル４２の表示は、制御回路４３によって制御されている。
【００２８】
筐体１の上半体１０は、液晶表示パネル４２からの光を透過させる透光表示窓１０ｃを操作面側の略中心部に形成している。透光表示窓１０ｃは、無色透明の樹脂からなり、液晶表示パネル４２の所定位置に表示されたソフトキーＡ，Ｂを外部へ表示するために必要な形状及び寸法を有している。
【００２９】
図５は、透光表示窓１０ｃ及び液晶表示パネル４２部分を拡大した略示側断面図である。
透光表示窓１０ｃの内側には、液晶表示パネル４２に表示されたソフトキーＡ，Ｂの操作を検出する静電容量方式のタッチパネル４４が配されている。
静電容量方式のタッチパネル４４は、複数のＩＴＯ（Ｉｎｄｉｕｍ  Ｔｉｎ  Ｏｘｉｄｅ）透明電極を、ソフトキーＡ，Ｂが表示される液晶パネルの部位に対応するように、透光表示窓１０ｃの内面に備えている。ＩＴＯ透明電極は、人の指より面積が小さい円形であり、特定の静電容量を有している。ＩＴＯ透明電極の静電容量は、透光表示窓１０ｃに物、例えば人の指が触れることで変化する。
タッチパネル４４のＩＴＯ透明電極夫々は、ワイヤ４６及び回路基板４０に配設されたコネクタ４５を介して図示しない発振回路に接続されている。発振回路は、ＩＴＯ透明電極の静電容量によって定まる特定周波数の信号を制御回路４３に与える。
【００３０】
制御回路４３は、ＣＰＵ、ＲＯＭ、ＲＡＭ、入力部等を備えており、入力部には、発振回路から与えられた信号が入力するように構成されている。ＲＯＭは、発振回路から与えられた信号の周波数に基づいて、静電容量の変化したＩＴＯ透明電極、つまり操作されたタッチパネル４４の部位を特定し、特定した部位に応じた遠隔操作信号のデータを送信部４１に与えるためのプログラムを記憶している。ＣＰＵは、ＲＯＭが記憶したプログラムを読み出して実行することにより、遠隔操作に係る処理を実行する。
【００３１】
送信部４１は、制御回路４３から与えられたデータに応じた赤外線の遠隔操作信号を送信する発光ダイオードを備えている。筐体１は、送信部４１に対向する部位に、赤外線の遠隔操作信号を透過させる送信窓１２を形成している。
【００３２】
また、上半体１０は、透光表示窓１０ｃの周縁を囲繞する中空の緩衝凸部５を表面に備えている。緩衝凸部５は、弾性部材からなり、適宜箇所に空気孔５ａを有している。
【００３３】
図６は、筐体１内部から見た上半体１０の模式図である。
上半体１０は、略矩形の上面部１０ａを有し、上面部１０ａの４辺に沿う４本の線状の薄肉部分１０ｂ，…，１０ｂを形成している。同様に、下半体１１は、下面部１１ａの４辺に沿う４本の線状の薄肉部分１１ｂ，１１ｂを形成している。
薄肉部分の厚みは、落下の衝撃によって薄肉部分が破れることがない程度の強度を保つために必要な幅を有している。
【００３４】
このように構成された遠隔操作装置にあっては、筐体１を弾性部材で形成することによって、落下の衝撃で筐体１が破損することを防ぐことができる。
【００３５】
また、筐体１が落下の衝撃を吸収するため、筐体１に収容された液晶表示パネル４２、制御回路４３、送信部４１等が落下の衝撃で破損することを防止することができる。
【００３６】
更に、支持柱２，２は、回路基板４０を挟持した枠体３を、回路基板４０と筐体１とが離隔するように支持しているため、落下の衝撃で筐体１が撓んだ場合であっても、回路基板４０に配された送信部４１、液晶表示パネル４２、制御回路４３等が筐体１に衝突して破損する虞はない。
【００３７】
更にまた、弾性部材からなり、空気孔５ａを備えた中空の緩衝凸部５が透光表示窓１０ｃを囲繞しているため、透光表示窓１０ｃ側から遠隔操作装置が落下した場合であっても、落下の衝撃は緩衝凸部５によって吸収される。従って、落下の衝撃で透光表示窓１０ｃが破損することを防ぐことができる。
【００３８】
更にまた、液晶表示パネル４２及びタッチパネル４４は筐体１内に収容されているため、防水、防滴性に優れており、風呂場、炊事場等の水滴がかかり易い場所で遠隔操作装置を使用することができる。
【００３９】
更にまた、薄肉部分１０ｂ，…，１０ｂ，１１ｂ，１１ｂを備えない筐体に比べて、筐体１は、落下の衝撃で撓み易く、より効果的に衝撃を吸収して、筐体１及び回路基板４０に配された送信部４１が破損することを防ぐことができる。
特に、筐体１の前側、即ち送信部４１側からの衝撃に対しては、主に上半体１０及び下半体１１の前側に形成された薄肉部分１０ｂ，１１ｂが撓み、落下の衝撃を吸収することができる。
同様に、筐体１の後側からの衝撃に対しては、主に上半体１０及び下半体１１の後側に形成された薄肉部分１０ｂ，１１ｂが撓み、落下の衝撃を吸収することができる。
筐体１の底側からの落下の衝撃に対しては、主に下半体１１に形成された薄肉部分１１ｂ，１１ｂが撓み、落下の衝撃を吸収することができる。
【００４０】
更にまた、筐体１は、衝撃を吸収する薄肉部分１０ｂ，…，１０ｂ，１１ｂ，１１ｂを内面に形成しているため、外面に薄肉部分を形成した遠隔操作装置に比べて、デザイン設計の自由度が高く、より創作性の高いデザインを筐体１に施すことができる。
【００４１】
なお、緩衝凸部が透光表示窓を囲繞するように構成してあるが、筐体の他の部位に緩衝凸部を備えても良い。透光表示窓のみならず、前記部位に加わる衝撃を緩衝凸部でより効果的に吸収することができる。
【００４２】
また、ゴム製の筐体を説明したが、弾性を有する部材であれば、これに限定されない。
【００４３】
更に、筐体全体を弾性部材で構成してあるが、筐体の一部分を弾性部材で構成するようにしても良い。
【００４４】
更にまた、筐体は、薄肉部分を内面に形成しているが、外面に形成しても良い。
【００４５】
更にまた、静電容量方式のタッチパネルを説明したが、液晶表示パネルに表示されたソフトキーの操作を検出できるのであれば、これに限定されない。
【００４６】
更にまた、ソフトキーを表示する液晶表示パネルを備えているが、ソフトキーを表示できるのであれば、他の表示パネル、例えば有機ＥＬの表示パネルを備えても良い。
【図面の簡単な説明】
【００４７】
【図１】本発明の実施の形態に係る遠隔操作装置の略示側断面図である。
【図２】遠隔操作装置の略示側面図である。
【図３】操作面側から見た遠隔操作装置の略示平面図である。
【図４】図１のIV−IV線断面図である。
【図５】透光表示窓及び液晶表示パネル部分を拡大した略示側断面図である。
【図６】筐体内部から見た上半体の模式図である。
【符号の説明】
【００４８】
１  筐体
２，２  支持柱
３  枠体
５  緩衝凸部
５ａ  空気孔
１０  上半体
１０ａ  上面部
１０ｂ，…，１０ｂ  薄肉部分
１０ｃ  透光表示窓
１１  下半体
１１ａ  下面部
１１ｂ，１１ｂ  薄肉部分
１２  送信窓
３０  鉤部
４０  回路基板
４１  送信部
４２  液晶表示パネル
４３  制御回路
４５  コネクタ
４６  ワイヤ
４４  タッチパネル
Ａ，Ｂ  ソフトキー
【図１】
2007195067.tif 000003
【図２】
2007195067.tif 000004
【図３】
2007195067.tif 000005
【図４】
2007195067.tif 000006
【図５】
2007195067.tif 000007
【図６】
2007195067.tif 000008